(57)【要約】【課題】聴覚障害者によるテレビ番組等の視聴時において、消費電力を削減することが可能な映像機器を提供する。【解決手段】機器の各部を制御する制御部１１と、デジタル放送信号を受信して所定の信号処理を行う放送信号処理部１５と、放送信号処理部１５からの出力に基づいて映像を表示する表示部２２と、放送信号処理部１５からの出力に基づいて音声を出力するスピーカ２３とを備えた映像機器１００において、制御部１１は、デジタル放送信号に聴覚障害者用の字幕データが含まれているか否かを検証し、当該字幕データが含まれている場合は、通常の映像と共に、聴覚障害者用の字幕を表示部２２に出力し、また、スピーカ２３を音声出力停止状態にする。【選択図】図１
2010200085.tif 000002
【特許請求の範囲】
【請求項１】
機器の各部を制御する制御部と、
デジタル放送信号を受信して、所定の信号処理を行う放送信号処理部と、
前記放送信号処理部からの出力に基づいて映像を表示する表示部と、
前記放送信号処理部からの出力に基づいて音声を出力するスピーカと、
を備えた映像機器において、
前記制御部は、前記デジタル放送信号に聴覚障害者用の字幕データが含まれているか否かを検証し、当該字幕データが含まれている場合は、前記表示部に映像と前記字幕データを出力すると共に、前記スピーカを音声出力停止状態にすることを特徴とする映像機器。
【請求項２】
請求項１に記載の映像機器において、
前記デジタル放送信号に前記聴覚障害者用の字幕データが含まれている場合に、前記スピーカを音声出力停止状態にすることを予め選択する選択手段を設け、
前記制御部は、前記デジタル放送信号に前記聴覚障害者用の字幕データが含まれており、かつ、前記選択手段により音声出力停止状態にすることが選択されている場合は、前記スピーカを音声出力停止状態にし、前記デジタル放送信号に前記聴覚障害者用の字幕データが含まれており、かつ、前記選択手段により音声出力停止状態にすることが選択されていない場合は、前記スピーカから音声を出力し、前記デジタル放送信号に前記聴覚障害者用の字幕データが含まれていない場合は、前記スピーカから音声を出力することを特徴とする映像機器。
【請求項３】
請求項１または請求項２に記載の映像機器において、
前記機器を操作するための操作部を備え、
前記制御部は、前記スピーカを音声出力停止状態にする前に、当該音声出力停止状態に移行することを告知する告知情報を表示し、当該告知情報の表示後、所定時間内に前記操作部による所定の操作が無い場合は、前記音声出力停止状態に移行し、所定時間内に前記操作部による所定の操作が有る場合は、前記音声出力停止状態に移行しないことを特徴とする映像機器。
【発明の詳細な説明】
【技術分野】
【０００１】
本発明は、デジタル放送を受信する映像機器に関するものである。
【背景技術】
【０００２】
近年のデジタル技術の発達により、放送の分野でもデジタル化が進み、例えば、地上波デジタルテレビジョン放送やＢＳ（Broadcasting Satellite）デジタル放送、ＣＳ（Communications Satellite）デジタル放送等のデジタル放送が広く実用化されている。このようなデジタル放送では、映像や音声、データなどの個別のストリーム（以下、「ＳＴ」と略す）を共通の信号形式で扱い、多重化信号としたトランスポートストリーム（以下、「ＴＳ」と略す）が、デジタル放送に対応した映像機器へ送信される。
【０００３】
ここで、欧州においては、隣国との国境を複数有する国家が多いため、このような国々で放送されるデジタル放送の番組（以下、「テレビ番組」と記載）は、例えば、１つの映像と複数の音声から構成される場合がある。このため、送信されるＴＳのデータＳＴには、異なる言語毎に作成された複数の字幕データが含まれている場合があり、また、当該字幕データには、聴覚障害者向けの字幕データも含まれている場合がある。これにより、聴覚障害者がテレビ番組を視聴する場合は、例えば、聴覚障害者向けの字幕データを予め選択することで、通常の映像に加えて、台詞や効果音等を字幕により視ることが出来るため、当該番組の理解が可能となる。
【発明の概要】
【発明が解決しようとする課題】
【０００４】
聴覚障害者がテレビ番組を視聴する場合、通常、字幕データは必要であるが、音声は不要であることが多い。しかしながら、従来の映像機器においては、視聴者を問わず、テレビ番組の視聴中は音声が出力されていた。このため、スピーカの消費電力が無駄になることがあった。尚、後掲の特許文献１〜４には、字幕データの表示に関する制御方法や、音声データの再生時における消費電力の低減方法等に関する技術が開示されているが、上述した問題の解決策については開示されていない。
【０００５】
本発明は、上述した問題点に鑑み、聴覚障害者によるテレビ番組等の視聴時において、消費電力を削減することが可能な映像機器を提供することを目的としている。
【課題を解決するための手段】
【０００６】
本発明に係る映像機器は、機器の各部を制御する制御部と、デジタル放送信号を受信して、所定の信号処理を行う放送信号処理部と、放送信号処理部からの出力に基づいて映像を表示する表示部と、放送信号処理部からの出力に基づいて音声を出力するスピーカとを備えている。そして、制御部は、デジタル放送信号に聴覚障害者用の字幕データが含まれているか否かを検証し、当該字幕データが含まれている場合は、表示部に映像と字幕データを出力すると共に、スピーカを音声出力停止状態にする。
【０００７】
このようにすることで、聴覚障害者がテレビ番組等を視聴する場合、聴覚障害者用の字幕データの出力に伴って、スピーカを音声出力停止状態にすることが出来る。これにより、省電力化を図ることが出来る。
【０００８】
本発明の映像機器において、デジタル放送信号に聴覚障害者用の字幕データが含まれている場合に、スピーカを音声出力停止状態にすることを予め選択する選択手段を設けてもよく、制御部は、デジタル放送信号に聴覚障害者用の字幕データが含まれており、かつ、選択手段により音声出力停止状態にすることが選択されている場合は、スピーカを音声出力停止状態にし、デジタル放送信号に聴覚障害者用の字幕データが含まれており、かつ、選択手段により音声出力停止状態にすることが選択されていない場合は、スピーカから音声を出力し、デジタル放送信号に聴覚障害者用の字幕データが含まれていない場合は、スピーカから音声を出力してもよい。
【０００９】
このようにすることで、視聴者に応じた音声出力のＯＮ／ＯＦＦの選択が可能となるので、当該視聴者の利便性が向上する。
【００１０】
本発明の映像機器において、機器を操作するための操作部を備え、制御部は、スピーカを音声出力停止状態にする前に、当該音声出力停止状態に移行することを告知する告知情報を表示し、当該告知情報の表示後、所定時間内に操作部による所定の操作が無い場合は、音声出力停止状態に移行し、所定時間内に操作部による所定の操作が有る場合は、音声出力停止状態に移行しなくてもよい。
【００１１】
このようにすることで、聴覚障害者とそれ以外の者が一緒に視聴する場合に、告知情報の表示後、所定時間内に操作部による所定の操作を行うことにより、音声の出力が維持されるので、聴覚障害者以外の者にとって利便性が向上する。
【発明の効果】
【００１２】
本発明によれば、聴覚障害者によるテレビ番組等の視聴時において、消費電力を削減することが可能な映像機器を提供することが出来る。
【図面の簡単な説明】
【００１３】
【図１】本発明の映像機器の一実施形態であるテレビジョン受像機を示したブロック図である。
【図２】一時記憶部に出力されるデータの一例を示した図である。
【図３】一時記憶部に出力されるその他のデータの一例を示した図である。
【図４】聴覚障害者がテレビ番組を視聴する場合に実行される動作を示したフローチャートである。
【図５】一時記憶部に出力されるデータの一部の詳細を示した図である。
【図６】一時記憶部に出力されるその他のデータの一例を示した図である。
【図７】表示部に表示されるＯＳＤ（OnScreen Display）の一例を示した図である。
【発明を実施するための形態】
【００１４】
以下、本発明の実施形態につき、図面を参照しながら説明する。以下の図では、同一部分または対応する部分に同一符号を付してある。
【００１５】
図１は、本発明における映像機器の一実施形態であるテレビジョン受像機（以下、「テレビ」と記載）１００の一例を示したブロック図である。テレビ１００において、制御部１１は、例えば、ＣＰＵ（Central Processing Unit）から構成されており、当該テレビ１００の各部を制御する。
【００１６】
操作部１２は、例えば、リモートコントロール装置から送信される操作コマンドを受信する受光部（図示省略）や、テレビ１００のフロントパネルに設けられたボタン部（図示省略）から構成されている。テレビ１００は、操作部１２における操作に従って所定の動作を実行する。
【００１７】
記憶部１３は、例えば、フラッシュＲＯＭ（Read  Only Memory）やハードディスク等から構成されており、当該記憶部１３には、アプリケーションソフト等の様々なソフトウェアが記憶されている。一時記憶部１４は、例えば、ＲＡＭ（Random Access Memory）から構成されており、制御部１１による制御処理や演算処理に必要なデータを記憶する。
【００１８】
放送信号処理部１５は、例えば、チューナやデマルチプレクサ等から構成されており、アンテナＮで受信したデジタル放送信号を、ＴＳ（トランスポートストリーム）に変換した後、当該ＴＳを映像ＳＴ（ストリーム）、音声ＳＴ、データＳＴの個別のストリームに分離する。そして、当該分離後、映像ＳＴは映像ＳＴ処理部１７へ出力され、音声ＳＴは音声ＳＴ処理部１８へ出力され、データＳＴはデータＳＴ処理部１９へ出力される。
【００１９】
ＯＳＤ処理部１６は、画像や文字等の各種データを表示部２２に表示するためのＯＳＤ（On Screen Display）データを生成して、映像信号出力部２０に出力する。
【００２０】
映像ＳＴ処理部１７は、入力された映像ＳＴに対して、画像処理等の所定の処理を行うと共に、当該処理が終了した映像を信号化して、つまり、映像信号として映像信号出力部２０に出力する。
【００２１】
音声ＳＴ処理部１８は、入力された音声ＳＴに対して、音声処理等の所定の処理を行うと共に、当該処理が終了した音声を信号化して、つまり、音声信号として音声信号出力部２１に出力する。
【００２２】
データＳＴ処理部１９は、入力されたデータＳＴに対して、データ処理等の所定の処理を行うことで、当該データＳＴに含まれている種々のデータを抽出し、また、抽出したこれらのデータを一時記憶部１４に出力する。
【００２３】
ここで、データＳＴ処理部１９から一時記憶部１４に出力されるデータの一例としては、図２の３０で示されるＳＤＴ（Service Description Table）や、図３の５０で示されるＥＩＴ（Event Information Table）、図６の７０で示されるデータテーブルがある。
【００２４】
詳しくは、図２に示すＳＤＴ３０は、選局したテレビ番組に関する「チャンネル名」や「放送事業者名」等の情報を記述した複数の記述子から構成されており、図３に示すＥＩＴ５０は、選局したテレビ番組に関する「番組名」、「放送日時」、「番組内容」等の情報を記述した複数の記述子から構成されている。
【００２５】
また、ＳＤＴ３０内の記述子３１、および／または、ＥＩＴ５０内の記述子５１には、図５の６０で示す２つの記述子、つまり、「Ｓｔｒｅａｍ＿ｃｏｎｔｅｎｔ」と表された記述子６１と、「Ｃｏｍｐｏｎｅｎｔ＿ｔｙｐｅ」と表された記述子６２が記述されている。記述子６１には「＊＊＊＊＊」で表される箇所に所定の数値６３が付加されており、記述子６２には「＊＊＊＊＊」で表される箇所に所定の数値６４が付加されている。尚、記述子６１に付加された数値６３と、記述子６２に付加された数値６４は、映像ＳＴ、音声ＳＴ、データＳＴの詳細をそれぞれ確認するために用いられるため、記述子６１と記述子６２とが一対で、ＳＴ毎に複数用意されている。
【００２６】
映像ＳＴ、音声ＳＴ、データＳＴの詳細を確認する場合は、図６に示すデータテーブル７０において、記述子６１に対応する項目７１と、記述子６２に対応する項目７２を参照して、記述子６１に付加された数値６３と同一の数値を有する項目７１と、記述子６２に付加された数値６４と同一の数値を有する項目７２を検出する。そして、検出した２つの項目（項目７１と項目７２）に対応する項目７３を参照することで、各ＳＴの詳細情報を確認する。
【００２７】
映像信号出力部２０は、入力された映像信号と、ＯＳＤ処理部１６から出力されるＯＳＤデータを合成して、表示部２２に出力する。本実施形態において、表示部２２は、例えば、ＬＣＤ（Liquid Crystal Display）である。音声信号出力部２１は、入力された音声信号を増幅してスピーカ２３に出力する。
【００２８】
以上のような構成からなるテレビ１００においては、聴覚障害者がテレビ番組を視聴する場合、図４のフローチャートで示される所定の動作が実行される。
【００２９】
詳しくは、図４のステップＳ１では、制御部１１（図１）の制御の下、データＳＴ処理部１９において、データＳＴからＳＤＴ３０（図２）やＥＩＴ５０（図３）が取得される。尚、取得されたＳＤＴ３０やＥＩＴ５０は、上述したとおり、一時記憶部１４（図１）に記憶される。
【００３０】
ステップＳ２では、制御部１１により、一時記憶部１４に記憶されているＳＤＴ３０やＥＩＴ５０の検証が開始される。詳しくは、ＳＤＴ３０内の記述子３１と、ＥＩＴ５０内の記述子５１が検証され、記述子３１および／または記述子５１に記述されている記述子６１（図５）に付加された数値６３と、記述子６２に付加された数値６４が確認される。
【００３１】
ステップＳ３では、ステップＳ２での検証結果に基づいて、選局したテレビ番組のデータＳＴに、聴覚障害者用の字幕データが含まれているか否かが検証され、当該検証の結果、聴覚障害者用の字幕データが有る場合（ステップＳ３：ＹＥＳ）は、ステップＳ４へ進み、聴覚障害者用の字幕データが無い場合（ステップＳ３：ＮＯ）は、ステップＳ７ｂへ進む。
【００３２】
詳しくは、制御部１１の制御の下、一時記憶部１４に記憶されているデータテーブル７０（図６）から、記述子６１に対応する項目７１と、記述子６２に対応する項目７２を参照して、ステップＳ２で確認した数値６３と同一の数値を有する項目７１と、同じく、ステップＳ２で確認した数値６４と同一の数値を有する項目７２を検出する。そして、検出した２つの項目（項目７１と項目７２）に対応する項目７３を参照して、当該項目７３に聴覚障害者用の字幕データに関する記述が有るか否かを確認する。そして、当該記述が有る場合、制御部１１は、データＳＴに聴覚障害者用の字幕データが含まれていると認識する。
【００３３】
例えば、記述子６１に付加された数値６３が「０×０３」であり、記述子６２に付加された数値６４が「０×２０」である場合、当該数値６３と同一の数値を有する項目７１、および、当該数値６４と同一の数値を有する項目７２は、図中において灰色部で示される箇所であり、当該項目７１と項目７２に対応する項目７３には、「ＤＶＢ  ｓｕｂｔｉｔｌｅｓ  （ｆｏｒ  ｔｈｅ  ｈａｒｄ  ｏｆ  ｈｅａｒｉｎｇ）  ｗｉｔｈ  ｎｏ  ｍｏｎｉｔｏｒ  ａｓｐｅｃｔ  ｒａｔｉｏ  ｃｒｉｔｉｃａｌｉｔｙ」と記述されているため、制御部１１は、選局したテレビ番組のデータＳＴに、聴覚障害者用の字幕データが含まれていると認識する。
【００３４】
ステップＳ４では、制御部１１により、聴覚障害者がテレビ番組を視聴することを想定した「聴覚障害者優先設定」の機能が有効となっているか否かが検証され、当該検証の結果、設定が有効である場合（ステップＳ４：ＹＥＳ）は、ステップＳ５へ進み、設定が有効でない場合（ステップＳ４：ＮＯ）は、ステップＳ７ｂへ進む。尚、「聴覚障害者優先設定」は、聴覚障害者を含むユーザー、例えば、家族等が、操作部１２にて所定の操作を行うことにより設定される。尚、「聴覚障害者優先設定」に関する情報は、例えば、記憶部１３に記憶されるため、「聴覚障害者優先設定」の機能が有効である場合、当該機能は、チャンネル選局時や、機器の立ち上げ（電源ＯＮ）時から実行される。ここで、操作部１２および記憶部１３は、本発明における選択手段の一例である。
【００３５】
ステップＳ５では、テレビ番組の視聴時において、「聴覚障害者優先設定」を反映させるか否かの最終確認が行われる。当該最終確認は、例えば、図７の８０で示されるＯＳＤを表示部２２に表示させることにより行われる。尚、ＯＳＤ８０のデータは、制御部１１の制御の下、ＯＳＤ処理部１６により生成される。ここで、ＯＳＤ８０は、本発明における告知情報の一例である。
【００３６】
ステップＳ６では、制御部１１により、予め設定された所定時間内において、操作部１２による入力操作が有るか否かが検証され、当該検証の結果、入力操作が無い場合（ステップＳ６：ＹＥＳ）は、ステップＳ７ａへ進み、入力操作が有る場合（ステップＳ６：ＮＯ）は、ステップＳ７ｂへ進む。尚、当該ステップＳ６において検証される入力操作とは、ＯＳＤ８０において「いいえ」が選択される操作のことを指す。また、所定時間内に入力操作が無い場合、表示部２２に表示されているＯＳＤ８０は、自動で消去される。
【００３７】
ステップＳ７ａでは、「聴覚障害者優先設定」を反映させたテレビ番組の視聴が開始され、ステップＳ７ｂでは、「聴覚障害者優先設定」を反映させていないテレビ番組の視聴が開始される。詳しくは、ステップＳ７ａにおいて、映像信号出力部２０は、通常の映像と共に、聴覚障害者用の字幕を表示部２２に出力する。また、音声信号出力部２１は、制御部１１からの指令に基づき、音声信号に対するミュート（消音）処理を行う。これにより、スピーカ２３からの音声出力が停止される。一方、ステップＳ７ｂでは、通常の状態でテレビ番組が視聴される。つまり、表示部２２に通常の映像のみが表示され、スピーカ２３から音声が出力される。
【００３８】
ステップＳ８では、制御部１１の制御の下、テレビ番組の視聴時において、操作部１２が操作されたか否かが検証され、当該検証の結果、入力操作が無い場合（ステップＳ８：ＹＥＳ）は、ステップＳ９ａへ進み、入力操作が有る場合（ステップＳ８：ＮＯ）は、ステップＳ９ｂへ進む。
【００３９】
ステップＳ９ａでは、ステップＳ７ａにおける「聴覚障害者優先設定」を反映させたテレビ番組の視聴が継続される。そして、例えば、テレビ１００の電源がＯＦＦになることにより、本フローチャートを終了する。一方、ステップＳ９ｂでは、ステップＳ８で行われた入力操作が選局操作である場合（ステップＳ９ｂ：ＹＥＳ）は、ステップＳ１の直前に戻り、音量調整のように選局操作でない場合（ステップＳ９ｂ：ＮＯ）は、ステップＳ５の直前に戻る。
【００４０】
このように、上述した実施形態においては、取得したＳＤＴ３０内の記述子３１、および／または、ＥＩＴ５０内の記述子５１から、記述子６１に付加された数値６３と、記述子６２に付加された数値６４を確認した後、データテーブル７０から、記述子６１に対応する項目７１と、記述子６２に対応する項目７２を参照して、数値６３と同一の数値を有する項目７１と、数値６４と同一の数値を有する項目７２を検出する。そして、検出結果に対応する項目７３を参照し、当該項目７３に聴覚障害者用の字幕データに関する記述が有る場合は、通常の映像と共に、聴覚障害者用の字幕を表示部２２に出力し、また、スピーカ２３を音声出力停止状態にする。これにより、聴覚障害者によるテレビ番組の視聴時、つまり、音声の出力を行う必要がない場合において、スピーカ２３を音声出力停止状態することができ、以って、省電力化を図ることが出来る。
【００４１】
また、聴覚障害者用の字幕データが有り（図４のステップＳ３：ＹＥＳ）、かつ、聴覚障害者がテレビ番組を視聴することを想定した「聴覚障害者優先設定」の機能が有効となっている場合（ステップＳ４：ＹＥＳ）、は、スピーカ２３を音声出力停止状態にし（ステップＳ７ａ）、聴覚障害者用の字幕データが有り（ステップＳ３：ＹＥＳ）、かつ、「聴覚障害者優先設定」の機能が無効となっている場合（ステップＳ４：ＮＯ）は、スピーカ２３から音声を出力し（ステップＳ７ｂ）、聴覚障害者用の字幕データが無い場合（ステップＳ３：ＮＯ）は、スピーカ２３から音声を出力する（ステップＳ７ｂ）ため、視聴者に応じた音声出力のＯＮ／ＯＦＦの選択が可能となり、これにより、当該視聴者の利便性が向上する。
【００４２】
さらに、「聴覚障害者優先設定」を反映させるか否かの最終確認を行うためのＯＳＤ８０を表示部２２に表示し（ステップＳ５）、当該ＯＳＤ８０の表示後、予め設定された所定時間内において、操作部１２による入力操作が無い場合（ステップＳ６：ＹＥＳ）は、「聴覚障害者優先設定」を反映させたテレビ番組の視聴を開始し（ステップＳ７ａ）、入力操作が有る場合（ステップＳ６：ＮＯ）は、「聴覚障害者優先設定」を反映させていないテレビ番組の視聴を開始する（ステップＳ７ｂ）。これにより、聴覚障害者とそれ以外の者が一緒に視聴する場合に、ＯＳＤ８０の表示後、所定時間内に操作部１２による所定の操作を行うことにより、音声の出力が維持されるので、聴覚障害者以外の者にとって利便性が向上する。
【００４３】
本発明では、以上述べた以外にも種々の実施形態を採用することができる。例えば、上記実施形態では、映像機器の一例としてテレビ１００を挙げたが、これに限られず、プロジェクター、ＰＣ（Personal Computer）、携帯端末等の他の映像機器に応用することも可能である。
【００４４】
また、上記実施形態においては、表示部２２をＬＣＤとしたが、これに限られず、その他のディスプレイ、例えば、ＰＤＰ（Plasma Display Panel）やＥＬＰ（Electroluminescence Panel）等を用いてもよい。
【００４５】
また、上記実施形態においては、ステップＳ５において、表示部２２にＯＳＤ８０を表示して、「聴覚障害者優先設定」を反映させるか否かの最終確認を行ったが、これに限られず、表示部２２にＯＳＤ８０を表示しなくてもよい。つまり、「聴覚障害者優先設定」を反映させるか否かの最終確認を行わなくてもよい。
【００４６】
また、上記実施形態においては、ステップＳ７ｂにおいて、表示部２２に映像のみが表示され、スピーカ２３から通常の音声が出力されたが、これに限られず、聴覚障害者用の字幕が有る場合は、通常の映像と共に、聴覚障害者用の字幕を表示部２２に出力してもよい。
【００４７】
さらに、上記実施形態においては、ステップＳ９ｂにおいて、ステップＳ８で行われた入力操作が選局操作でない場合は、ステップＳ５の直前に戻ったが、これに限られず、ステップＳ８で行われた入力操作が選局操作でなく、かつ、操作部１２に予め設けられている「ミュートボタン」（図示省略）が操作された場合に限り、スピーカ２３から音声を出力してもよい。尚、この場合、聴覚障害者用の字幕は表示部２２に出力されている。
【符号の説明】
【００４８】
１１    制御部
１２    操作部
１４    一時記憶部
１５    放送信号処理部
２２    表示部
２４    スピーカ
８０    ＯＳＤ
【先行技術文献】
【特許文献】
【００４９】
【特許文献１】特開２００７−３３６５９３号公報
【特許文献２】特開２００７−０８１４９６号公報
【特許文献３】特開２００６−３３３２３８号公報
【特許文献４】特開２０００−３５０２１９号公報
【図１】
2010200085.tif 000003
【図２】
2010200085.tif 000004
【図３】
2010200085.tif 000005
【図４】
2010200085.tif 000006
【図５】
2010200085.tif 000007
【図６】
2010200085.tif 000008
【図７】
2010200085.tif 000009